(57)【要約】【課題】揺動操作に対して複数の節度を付与する場合に、コスト低減と組立工程数低減が可能となるスイッチ装置を提供する。【解決手段】本体部５は軸部７で枢支されており、操作ノブ６に対する揺動操作で揺動する。本体部５には揺動方向に突出する弾性腕部９が一体に形成されており、その先端に一体に形成された摺動部１１が本体部５の側面に形成された第１谷部１５に付勢状態で当接している。操作ノブ６が揺動操作されると、摺動部１１は、図示下方に移動し、第１谷部１５から脱出して第１節度山１２を乗越えて第２谷部１６に位置する。これにより、操作ノブ６に対して節度が付与されると同時にスイッチ切替えが行われる。操作ノブ６に対する揺動操作を解除すると、弾性腕部９の弾性復元力によって、摺動部１１が第１谷部１５に移動すると共に本体部５が中立位置に復帰される。【選択図】図１
2007213902.tif 000002
【特許請求の範囲】
【請求項１】
中立位置から揺動可能に枢支された本体部と、この本体部の頭部に設けられた操作ノブとを備え、前記操作ノブに対する揺動操作に応じてスイッチの切替えを行うスイッチ装置において、
前記本体部に一体に形成され、前記本体部の揺動方向側の側面から揺動方向に突出すると共に先端部が前記側面に設定された初期位置に当接する弾性腕部と、
前記本体部の揺動方向に設けられ、前記操作ノブが揺動操作されたときは、前記弾性腕部の中間部が当接することにより前記先端部が前記側面上を摺動する力を発生させる押圧部と、
前記本体部に一体に形成され、前記弾性腕部の先端部が摺動する摺動軌跡上に位置する節度山とを備え、
前記操作ノブに対する揺動操作に伴って前記先端部が前記節度山を順に乗越えながら摺動すると共に、前記本体部に対する揺動操作が解除されたときは、前記弾性腕部の弾性復元力で前記先端部が前記初期位置に戻ることにより前記本体部が前記中立位置に復帰することを特徴とするスイッチ装置。
【発明の詳細な説明】
【技術分野】
【０００１】
本発明は、中立位置から揺動可能に枢支された本体部と、この本体部の頭部に設けられた操作ノブとを備え、前記操作ノブに対する揺動操作に応じてスイッチの切替えを行うスイッチ装置に関する。
【背景技術】
【０００２】
従来のスイッチ装置として、特許文献１に示されたものがある。このものは、揺動可能に枢支された本体部の揺動に応動するスイッチを設けたもので、本体部の頭部に設けられた操作ノブに対して揺動操作を行うことで、スイッチの入力を行うことができる。
【特許文献１】特開２００５−１５８４９２号公報
【発明の開示】
【発明が解決しようとする課題】
【０００３】
ところで、現在、複雑化する多機能な装置に対応すべく、複数の節度を有するスイッチ装置が要望されている。
しかしながら、特許文献１のものは、本体部に対して揺動操作を行うことで、単にスイッチ入力を行うように構成されていることから、揺動操作に対して複数の節度を付与する場合は、複数の節度を付与するための特別な手段を設ける必要がある。このため、組立部品数が多くなり、コストが掛かると共に、生産段階での組立工程数が多くなるといった問題がある。
【０００４】
本発明は上記の事情に鑑みてなされたもので、その目的は、揺動操作に対して複数の節度を付与する場合に、コスト低減と組立工程数低減が可能となるスイッチ装置を提供することにある。
【課題を解決するための手段】
【０００５】
本発明は、中立位置から揺動可能に枢支された本体部と、この本体部の頭部に設けられた操作ノブとを備え、前記操作ノブに対する揺動操作に応じてスイッチの切替えを行うスイッチ装置において、前記本体部に一体に形成され、前記本体部の揺動方向側の側面から揺動方向に突出すると共に先端部が前記側面に設定された初期位置に当接する弾性腕部と、前記本体部の揺動方向に設けられ、前記操作ノブが揺動操作されたときは、前記弾性腕部の中間部が当接することにより前記先端部が前記側面上を摺動する力を発生させる押圧部と、前記本体部に一体に形成され、前記弾性腕部の先端部が摺動する摺動軌跡上に位置する節度山とを備え、前記操作ノブに対する揺動操作に伴って前記先端部が前記節度山を順に乗越えながら摺動すると共に、前記本体部に対する揺動操作が解除されたときは、前記弾性腕部の弾性復元力で前記先端部が前記初期位置に戻ることにより前記本体部が前記中立位置に復帰するものである。
【発明の効果】
【０００６】
本発明のスイッチ装置によれば、中立位置から揺動可能に枢支された本体部に弾性腕部と節度山とを一体に設け、操作ノブに対する揺動操作に応じて弾性腕部の先端部が節度山を乗越えながら摺動する際に節度を付与すると共に、揺動操作が解除したときは弾性腕部の弾性復元力により本体部を中立位置に復帰させるようにしたので、揺動操作される操作ノブに複数の節度を付与するための特別な手段を設けることなく実施でき、コスト低減と組立工程数低減が可能となるという優れた効果を奏する。
【発明を実施するための最良の形態】
【０００７】
以下、本発明を車両のパワーウィンドウのスイッチ装置に適用した一実施例について、図面を参照しながら説明する。
図１はスイッチ装置の縦断面を示している。この図１に示すように、スイッチ装置１は、揺動部２、ベゼル３（押圧部に相当）、スイッチ部４から構成されている。
【０００８】
揺動部２は、樹脂部材で形成されており、本体部５と操作ノブ６とから構成されている。
本体部５は、軸部７で揺動可能に枢支されている。この本体部５の頭部は、ベゼル３（押圧部に相当）の窓部８から図示上方に突出しており、その上部に操作ノブ６が固着されている。本体部５の揺動方向となる両側面には、揺動方向に突出する一対の弾性腕部９が一体形成されている。この弾性腕部９は、揺動方向に突出すると共に肘部１０（中間部に相当）で折曲した「く」の字形状をなしており、その先端にはほぼ球形状の摺動部１１（先端部に相当）が一体形成されている。この摺動部１１は、弾性腕部９の付勢力により本体部５の側面に当接している。
【０００９】
本体部５の側面には、摺動部１１の当接位置から図示下方向に向かって第１節度山１２、第２節度山１３、第３節度山１４が順に形成されている。これらの節度山１２乃至１４は、摺動部１１の摺動軌跡上に形成されており、これらの節度山の手前側に、第１谷部１５、第２谷部１６、第３谷部１７がそれぞれ形成されている。これらの谷部１９を挟む斜面において図示上方側となる斜面は傾斜が小さく、図示下方側となる斜面は傾斜が大きく設定されている。これは、後述するように摺動部１１の図示下方への移動に対しては節度を付与させると共に、図示上方への移動に対しては移動し易くするためである。揺動部２が図１に示す中立位置に位置している状態では、摺動部１１は初期位置である第１谷部１５に位置している。
【００１０】
操作ノブ６は、樹脂部材で底面が開放された中空形状に形成されている。操作ノブ６の上面先端には指掛部１８が形成されており、使用者が操作ノブ６に対して揺動操作を行う際に、指を引掛け易いように突出している。
ベゼル３の窓部８において本体部５の揺動方向に位置する内面は、上部側が内方に突出した湾曲形状に形成されており、本体部５に一体形成された弾性腕部９の肘部１０がベゼル３の窓部８の内面に付勢状態で当接している。これにより、弾性部材の肘部１０に対して本体部５側への押圧力が付与されているので、揺動部２が図１に示す中立位置に保持されている。
【００１１】
スイッチ部４には複数の図示しないスイッチが内蔵されており、揺動部２が中立位置から矢印Ａ方向に揺動する所定位置に応じて第１，第２スイッチがオンすると共に、矢印Ａ方向と反対側に揺動する所定位置に応じて第３，第４スイッチがオンするようになっている。これらのスイッチのオン信号はパワーウィンドウに出力されるもので、第１ないし第４スイッチのオンに応じて運転席側のパワーウィンドウの開動作、全開動作、閉動作、全閉動作がそれぞれ行われるようになっている。
【００１２】
次に、上記構成のスイッチ装置の動作について図２及び図３を参照も参照しながら説明する。
運転者が運転席側のパワーウィンドウを開放するために、操作ノブ６を図１に示す中立位置から矢印Ａ方向に揺動操作すると、それに伴って図示左側に位置する弾性腕部９の肘部１０がベゼル３の窓部８の内面により強く押圧されるようになる。これにより、第１谷部１５に位置していた摺動部１１に対して図示下方への力が作用するようになるので、摺動部１１は、第１谷部１５を脱出し、第１節度山１２を乗越えて第２谷部１６に位置する。ここで、第２谷部１６の図示下方側の傾斜角度は大きく設定されているので、図２に示すように第１谷部１５に位置した摺動部１１が係止されるようになり、矢印Ａ方向に揺動操作される操作ノブ６に対して節度を付与することができる。このとき、スイッチ部４の第１スイッチがオンするので、運転席側のパワーウィンドウが下方向に移動し、開動作が行われる。
【００１３】
この開動作中に、運転者が操作ノブ６に対して行っている揺動操作を解除すると、弾性腕部９の弾性復元力により摺動部１１には図示上方への力が作用するので、摺動部１１は、第２谷部１６から脱出し、第１節度山１２を乗越えて第１谷部１５に位置する。これにより、弾性腕部９の肘部１０がベゼル３の内面を強く押圧するようになるので、揺動部２が図１に示す中立位置に復帰すると共に、第１スイッチがオフしてパワーウィンドウの開動作が停止する。
【００１４】
さて、運転者がパワーウィンドウを全開する場合は、操作ノブ６を矢印Ａ方向に揺動操作する。すると、上述したように弾性腕部９の先端に設けられた摺動部１１が第１谷部１５から脱出し、第１節度山１２を乗越えて第２谷部１６に位置することにより操作ノブ６に対して節度が付与されるようになるので、さらに操作ノブ６を強く揺動操作すると、摺動部１１が第２谷部１６から脱出し、図３に示すように第２節度山１３を乗越えて第３谷部１７に位置する。
【００１５】
このように摺動部１１が第３谷部１７に位置すると、操作ノブ６に対して節度が付与されると共に、スイッチ部４の第２スイッチがオンになるので、パワーウィンドウの全開動作が自動的に行われる。
また、このような全開動作中に、使用者が操作ノブ６に対して行っている揺動操作を解除した場合は、弾性腕部９の弾性復元力により肘部１０がベゼル３の窓部８の内面を押圧するので、摺動部１１が第３谷部１７を脱出し、第２節度山１３及び第１節度山１２を乗越えて第１谷部１５に戻る動作によって、揺動部２が中立位置に復帰される。
【００１６】
一方、以上のようにパワーウィンドウを全閉している途中でその全開動作を停止する場合は、操作ノブ６を図１に示す中立位置から矢印Ａ方向と反対方向に揺動操作する。これにより、図示右側の弾性腕部９の先端に設けられた摺動部１１が第１谷部１５から脱出し、第１節度山１２を乗越えて第２谷部１６に位置するので、スイッチ部４の第３スイッチがオンし、パワーウィンドウの全開動作が停止する。
【００１７】
尚、上記では、操作ノブ６を矢印Ａ方向に揺動操作させたときの開放動作について説明したが、パワーウィンドウを閉鎖するときは、操作ノブ６を矢印Ａ方向と反対方向に揺動操作する。この場合の動作は、上述した開動作が行われる動作と同一動作であり、開動作が閉動作に、全開動作が全閉動作に対応した動きを行う。
【００１８】
上記実施例のスイッチ装置１によれば、本体部５に、先端に摺動部１１を有した弾性腕部９と複数の節度山１５とを一体に形成し、操作ノブ６に対する揺動操作に応じて摺動部１１が節度山１５を乗越えながら摺動する際に節度を付与するようにしたので、操作ノブ６の揺動操作に対して複数の節度を付与させる場合は、節度手段を特別に設ける必要がある従来例のものと違って、コスト低減と組立工程数低減が可能となる。
しかも、操作ノブ６に対する揺動操作を解除した場合は、弾性腕部９の弾性復元力を利用して摺動部１１が第１谷部１５に戻るようにしたので、特別な手段を用いることなく操作ノブ６を中立位置に復帰させることが可能となる。
【００１９】
本発明は、上記実施例にのみ限定されるものではなく、以下のように変形または拡張することができる。
本体部５に一体に形成する節度山１５の数は限定されるものではなく、４個以上形成するようにしてもよい。
操作ノブ６を、本体部５と一体に形成するようにしてもよい。
弾性腕部９は、「く」の字形状としたが、湾曲形状、或いは多角形状に形成するようにしてもよい。
弾性腕部９は、本体部５の両側から一体に形成されているとしたが、本体部５の揺動方向が一方の場合は、一方だけに弾性腕部９を本体部５と一体に形成するようにしてもよい。
摺動部１１が節度山１５から外れにくいようにガイド部を本体部５に一体に形成するようにしてもよい。
【図面の簡単な説明】
【００２０】
【図１】本発明の一実施例において摺動部が第１谷部に位置している状態で示すスイッチ装置の縦断面図
【図２】摺動部が第２谷部に位置している状態で示す図１相当図
【図３】摺動部が第３谷部に位置している状態で示す図１相当図
【符号の説明】
【００２１】
図面中、１はスイッチ装置、３はベゼル（押圧部）、５は本体部、６は操作ノブ、９は弾性腕部、１０は肘部（中間部）、１１は摺動部（先端部）、１２乃至１４は節度山を示している。
【図１】
2007213902.tif 000003
【図２】
2007213902.tif 000004
【図３】
2007213902.tif 000005